(57)【特許請求の範囲】
【請求項１】
気密性の可撓性筒状体の両端部が夫々蓋体で閉塞されると共に、内部が区画体で区画されて２つの収納室が形成され、該収納室内に所定量の気体と共に物品が収納されるように構成された物品収納体であって、前記蓋体は前記筒状体及び区画体に比較して破断容易に形成され、一方の蓋体が上方になるように該物品収納体を起立させて該蓋体下方近傍に気体溜まりを形成させた状態で、該気体溜まりの上部が所定の外圧を受けた時、気体溜まりの気体圧増加によって該蓋体が破断すると共に、破断時に前記物品の飛散及び漏出が抑制されるように構成されていることを特徴とする物品収納体。
【請求項２】
気密性の可撓性筒状体の両端部が夫々蓋体で閉塞されると共に、該蓋体の内方に該蓋体と所定間隔離間する仕切り体が夫々設けられて該蓋体と仕切り体間に気体室が形成され、且つ、該仕切り体間が区画体で区画されて２つの収納室が形成され、該収納室内に所定量の気体と共に物品が収納されるように構成された物品収納体であって、前記仕切り体は前記筒状体及び区画体に比較して破断容易に形成されると共に、前記蓋体は該仕切り体に比較して破断容易に形成され、一方の蓋体及び仕切り体が上方になるように該物品収納体を起立させて該仕切り体下方近傍に気体溜まりを形成させた状態で、該気体溜まりの上部が所定の外圧を受けた時、該気体溜まりの気体圧増加により該仕切り体が変形して、前記気体室の気体圧を増加させて前記蓋体を破断し、次に、該気体溜まりの更なる気体圧増加により該仕切り体が破断し、該仕切り体の破断時に前記物品の飛散及び漏出が抑制され、且つ、前記蓋体も該物品の飛散及び漏出を規制するように構成されていることを特徴とする物品収納体。
【請求項３】
上記２つの収納室内に収納される物品は、互いに異なる物品であることを特徴とする請求項１又は２記載の物品収納体。
【請求項４】
上記物品は、液体、又は、固体のいずれかであることを特徴とする請求項１，２又は３記載の物品収納体。
【請求項５】
上記物品は、粉状体、粒状体、又は、流動体のいずれかであることを特徴とする請求項１，２又は３記載の物品収納体。
【請求項６】
上記物品は、食品、調味料、嗜好品、薬品、又は、化粧品のいずれかであることを特徴とする請求項１，２又は３記載の物品収納体。
【請求項７】
上記筒状体の外周面に該外周面の長手方向に離間して２つの袋状体が設けられると共に、該袋状体の開放部が内方に向かって互いに対向するように設けられ、該袋状体の開放部を介して、該袋状体に板状体が着脱自在に設けられていることを特徴とする請求項１，２，３，４，５又は６記載の物品収納体。
【請求項８】
上記板状体は少なくともその一部がへら、ナイフ、又は、フォーク形状に形成されていることを特徴とする請求項７記載の物品収納体。
【請求項９】
請求項１記載の物品収納体の一方の蓋体が上方になるように該物品収納体を起立させ、該蓋体の下方近傍に気体溜まりを形成させた状態で、該物品収納体の筒状体側から該気体溜まり上部位置を押圧し、該気体溜まりの気体圧増加によって該蓋体を破断させ、該収納室内の物品を排出自在にすると共に、破断時に前記物品の飛散及び漏出が抑制されることを特徴とする物品収納体の使用方法。
【請求項１０】
請求項２記載の物品収納体の一方の蓋体及び仕切り体が上方になるように該物品収納体を起立させ、該仕切り体の下方近傍に気体溜まりを形成させた状態で、該物品収納体の筒状体側から該気体溜まり上部位置を押圧して該筒状体の気体溜まりの気体圧を増加させ、前記仕切り体を変形させ、且つ、上記気体室の気体圧を増加させることにより前記蓋体を破断し、更に、前記気体溜まりの気体圧を増加させて前記仕切り体を破断させ、該収納室内の物品を排出自在にすると共に、該仕切り体の破断時に、前記物品の飛散及び漏出が抑制され、且つ、前記蓋体も該物品の飛散及び漏出を規制することを特徴とする物品収納体の使用方法。
【発明の詳細な説明】
【技術分野】
【０００１】
本発明は、物品収納体及びその使用方法に関するものであり、特に、コーヒー、クリープ又は調味料等を収納したスティック状の包装体である物品収納体及びその使用方法に関する。
【背景技術】
【０００２】
従来、ファーストフード店や喫茶店等で飲食する時に、種々の調味料等、例えば、砂糖、クリーム、ソース、醤油、香辛料等が包装体内に小分量収納されて同時に提供される場合がある。
【０００３】
又、スーパー、コンビニ等で販売される弁当や、加工食品等に付属されて、例えば醤油、ソース、つゆ、或いは、マヨネーズ等が小分けされた包装体、或いは、容器等に収納されて提供される場合がある。
特許文献１にも同様の包装体が記載されており、該包装体内には液状、粉状の薬品又は食品が収納される。
【０００４】
特許文献２には砂糖を収納した包装体とミルクを収納する容器とを一体化したコーヒー等用のスティックが記載されている。
特許文献３にはミルクを充填する容器が記載され、該容器がコーヒーを飲む時の攪拌用にも利用できる構成となっている。
【特許文献１】特開平１１−１７１２４１号公報
【特許文献２】特開平０６−１９６４０３号公報
【特許文献３】特開２００３−０２６２３１号公報
【発明の開示】
【発明が解決しようとする課題】
【０００５】
前述した容器或いは包装体は、必要とする量の食品、調味料等を収納し、その取り扱いも極めて簡便であることから、広く普及し用いられている。
然しながら、これらの容器或いは包装体内には１種類の食品、調味料等が入っているため、複数の食品、調味料等を必要とする場合に於いては、容器或いは包装体が複数になり、その使用及び取り扱いが煩雑になることがあり、又、提供する側も煩雑になると共に、提供ミスが発生する虞があった。
【０００６】
又、容器或いは包装体内に液体や流動体が収納されている場合、開封時に手を汚す場合が多く不快な思いをする場合がある。
或いは、弁当の場合におけるキャップ付の醤油等は食品の上に直接載置される場合があり、食品の油や汁等が付着して同様に手を汚す場合がある。
【０００７】
以上の現状に鑑み、本発明は、２種類の物品を収納することができると共に、その使用が簡便で、手を汚すことなく、物品を取り出すことができるようにした物品収納体及びその使用方法を提供することを目的とする。
【課題を解決するための手段】
【０００８】
上記の課題を解決すべく、本発明は以下の構成を提供する。
請求項１に係る発明は、気密性の可撓性筒状体の両端部が夫々蓋体で閉塞されると共に、内部が区画体で区画されて２つの収納室が形成され、該収納室内に所定量の気体と共に物品が収納されるように構成された物品収納体であって、前記蓋体は前記筒状体及び区画体に比較して破断容易に形成され、一方の蓋体が上方になるように該物品収納体を起立させて該蓋体下方近傍に気体溜まりを形成させた状態で、該気体溜まりの上部が所定の外圧を受けた時、気体溜まりの気体圧増加によって該蓋体が破断すると共に、破断時に前記物品の飛散及び漏出が抑制されるように構成されていることを特徴とする物品収納体を提供するものである。
【０００９】
請求項２に係る発明は、気密性の可撓性筒状体の両端部が夫々蓋体で閉塞されると共に、該蓋体の内方に該蓋体と所定間隔離間する仕切り体が夫々設けられて該蓋体と仕切り体間に気体室が形成され、且つ、該仕切り体間が区画体で区画されて２つの収納室が形成され、該収納室内に所定量の気体と共に物品が収納されるように構成された物品収納体であって、前記仕切り体は前記筒状体及び区画体に比較して破断容易に形成されると共に、前記蓋体は該仕切り体に比較して破断容易に形成され、一方の蓋体及び仕切り体が上方になるように該物品収納体を起立させて該仕切り体下方近傍に気体溜まりを形成させた状態で、該気体溜まりの上部が所定の外圧を受けた時、該気体溜まりの気体圧増加により該仕切り体が変形して、前記気体室の気体圧を増加させて前記蓋体を破断し、次に、該気体溜まりの更なる気体圧増加により該仕切り体が破断し、該仕切り体の破断時に前記物品の飛散及び漏出が抑制され、且つ、前記蓋体も該物品の飛散及び漏出を規制するように構成されていることを特徴とする物品収納体を提供するものである。
【００１０】
請求項３に係る発明は、上記２つの収納室内に収納される物品は、互いに異なる物品であることを特徴とする請求項１又は２記載の物品収納体を提供するものである。
【００１１】
請求項４に係る発明は、上記物品は、液体、又は、固体のいずれかであることを特徴とする請求項１，２又は３記載の物品収納体を提供するものである。
請求項５に係る発明は、上記物品は、粉状体、粒状体、又は、流動体のいずれかであることを特徴とする請求項１，２又は３記載の物品収納体を提供するものである。
【００１２】
請求項６に係る発明は、上記物品は、食品、調味料、嗜好品、薬品、又は、化粧品のいずれかであることを特徴とする請求項１，２又は３記載の物品収納体を提供するものである。
【００１３】
請求項７に係る発明は、上記筒状体の外周面に該外周面の長手方向に離間して２つの袋状体が設けられると共に、該袋状体の開放部が内方に向かって互いに対向するように設けられ、該袋状体の開放部を介して、該袋状体に板状体が着脱自在に設けられていることを特徴とする請求項１，２，３，４，５又は６記載の物品収納体を提供するものである。
【００１４】
請求項８に係る発明は、上記板状体は少なくともその一部がへら、ナイフ、又は、フォーク形状に形成されていることを特徴とする請求項７記載の物品収納体を提供するものである。
【００１５】
請求項９に係る発明は、請求項１記載の物品収納体の一方の蓋体が上方になるように該物品収納体を起立させ、該蓋体の下方近傍に気体溜まりを形成させた状態で、該物品収納体の筒状体側から該気体溜まり上部位置を押圧し、該気体溜まりの気体圧増加によって該蓋体を破断させ、該収納室内の物品を排出自在にすると共に、破断時に前記物品の飛散及び漏出が抑制されることを特徴とする物品収納体の使用方法を提供するものである。
【００１６】
請求項１０に係る発明は、請求項２記載の物品収納体の一方の蓋体及び仕切り体が上方になるように該物品収納体を起立させ、該仕切り体の下方近傍に気体溜まりを形成させた状態で、該物品収納体の筒状体側から該気体溜まり上部位置を押圧して該筒状体の気体溜まりの気体圧を増加させることにより、前記仕切り体を変形させ、且つ、上記気体室の気体圧を増加させることにより前記蓋体を破断し、更に、前記気体溜まりの気体圧を増加させて前記仕切り体を破断させ、該収納室内の物品を排出自在にすると共に、該仕切り体の破断時に、前記物品の飛散及び漏出が抑制され、且つ、前記蓋体も該物品の飛散及び漏出を規制することを特徴とする物品収納体の使用方法を提供するものである。
【発明の効果】
【００１７】
本発明の請求項１記載の発明によれば、気密性の可撓性筒状体の両端部が夫々蓋体で閉塞されると共に、内部が区画体で区画されて２つの収納室が形成され、該収納室内に所定量の気体と共に物品が収納されるように構成された物品収納体であって、前記蓋体は前記筒状体及び区画体に比較して破断容易に形成されているので、一方の蓋体が上方になるように該物品収納体を起立させて該蓋体下方近傍に気体溜まりを形成させた状態で、該気体溜まりの上部が所定の外圧を受けた時、気体溜まりの気体圧増加によって該蓋体が破断すると共に、破断時に前記物品の飛散及び漏出が抑制され、手等を汚す虞がなくなる。
【００１８】
又、前記物品収納体は２つの収納室が形成されているので、２種類の物品を収納することができて収納状態をコンパクトにできると共に、美観を向上させ、且つ、使用上の煩雑さを解消することができる。
【００１９】
更に、該物品収納体を弁当等に用いる場合に於いて、該物品収納体は２種類の物品を収納するため所定量の大きさになり、弁当内に入れなくても紛失の虞がなく、従って、該物品収納体を食品の上に直接載置する必要がないため、該物品収納体を食品で汚す虞もない。
【００２０】
請求項２記載の発明によれば、気密性の可撓性筒状体の両端部が夫々蓋体で閉塞されると共に、該蓋体の内方に該蓋体と所定間隔離間する仕切り体が夫々設けられて該蓋体と仕切り体間に気体室が形成され、且つ、該仕切り体間が区画体で区画されて２つの収納室が形成され、該収納室内に所定量の気体と共に物品が収納されるように構成された物品収納体であって、前記仕切り体は前記筒状体及び区画体に比較して破断容易に形成されると共に、前記蓋体は該仕切り体に比較して破断容易に形成されているので、一方の蓋体及び仕切り体が上方になるように該物品収納体を起立させて該仕切り体下方近傍に気体溜まりを形成させた状態で、該気体溜まりの上部が所定の外圧を受けた時、該気体溜まりの気体圧増加により該仕切り体が変形し、前記気体室の気体圧を増加させて前記蓋体を破断し、次に、該気体溜まりの更なる気体圧増加により該仕切り体が破断し、該仕切り体の破断時に前記物品の飛散及び漏出が抑制され、且つ、前記蓋体も該物品の飛散及び漏出を規制して、物品の飛散及び漏出が完全に防止され、手等を汚す虞がなくなる。
【００２１】
又、前記物品収納体は請求項１記載の発明と同様に２つの収納室が形成されているので、２種類の物品を収納することができて収納状態をコンパクトにできると共に、美観を向上させ、且つ、使用上の煩雑さを解消することができる。
【００２２】
更に、該物品収納体を弁当等に用いる場合に於いて、該物品収納体は２種類の物品を収納するため所定量の大きさになり、弁当内に入れなくても紛失の虞がなく、従って、該物品収納体を食品の上に直接載置する必要がないため、該物品収納体を食品で汚す虞もない。
【００２３】
請求項３記載の発明によれば、上記２つの収納室内に収納される物品は、互いに異なる物品であるので、請求項１又は２記載の発明の効果に加え、２種類の物品を収納し、且つ、利用することができる。
【００２４】
請求項４記載の発明によれば、上記物品は、液体、又は、固体のいずれかであるので、請求項１，２又は３記載の発明の効果に加え、液体、又は、固体の物品を収納し、且つ、利用することができる。
【００２５】
請求項５記載の発明によれば、上記物品は、粉状体、粒状体、又は、流動体のいずれかであるので請求項１，２又は３記載の発明の効果に加え、粉状体、粒状体、又は、流動体の物品を収納し、且つ、利用することができる。
【００２６】
請求項６記載の発明によれば、上記物品は、食品、調味料、嗜好品、薬品、又は、化粧品のいずれかであるので請求項１，２又は３記載の発明の効果に加え、食品、調味料、嗜好品、薬品、又は、化粧品の物品収納体を収納し、且つ、利用することができる。
【００２７】
請求項７記載の発明によれば、上記筒状体の外周面に該外周面の長手方向に離間して２つの袋状体が設けられると共に、該袋状体の開放部が内方に向かって互いに対向するように設けられ、該袋状体の開放部を介して、該袋状体に板状体が着脱自在に設けられているので、該板状体を種々の用具として利用することができると共に、該板状体を簡素な構成で着脱自在に設けることができると共に、着脱も容易である。
【００２８】
請求項８記載の発明によれば、上記板状体は少なくともその一部がへら、ナイフ、又は、フォーク形状に形成されているので、その形状によってへら、ナイフ、又は、フォークとして用いることができ、利便性を向上できる。
【００２９】
請求項９記載の発明によれば、請求項１記載の物品収納体の一方の蓋体が上方になるように該物品収納体を起立させ、該蓋体の下方近傍に気体溜まりを形成させた状態で、該物品収納体の筒状体側から該気体溜まり上部位置を押圧し、該気体溜まりの気体圧増加によって該蓋体を破断させ、該収納室内の物品を排出自在にすると共に、破断時に前記物品の飛散及び漏出が抑制される物品収納体の使用方法を提供するので、収納室内の物品を容易に排出することができると共に、破断時に物品の飛散及び漏出を防止できる。
【００３０】
請求項１０記載の発明によれば、請求項２記載の物品収納体の一方の蓋体及び仕切り体が上方になるように該物品収納体を起立させ、該仕切り体の下方近傍に気体溜まりを形成させた状態で、該物品収納体の筒状体側から該気体溜まり上部位置を押圧して該筒状体の気体溜まりの気体圧を増加させ、前記仕切り体を変形させ、且つ、上記気体室の気体圧を増加させることにより前記蓋体を破断し、更に、前記気体溜まりの気体圧を増加させて前記仕切り体を破断させ、該収納室内の物品を排出自在にすると共に、該仕切り体の破断時に、前記物品の飛散及び漏出が抑制され、且つ、前記蓋体も該物品の飛散及び漏出を規制する物品収納体の使用方法を提供するので、収納室内の物品を容易に排出することができると共に、前記仕切り体の破断時に物品の飛散及び漏出は抑制され、前記蓋体によっても該物品の飛散及び漏出が規制されるため、物品の飛散及び漏出を完全に防止することができる。
【発明を実施するための最良の形態】
【００３１】
以下、実施例を示した図面を参照しつつ本発明の実施の形態を説明する。
図１及び図２に於いて、１は本発明の物品収納体であり、該物品収納体１は、所謂、スティックシュガーのようなスティック状に形成された収納体であり、例えば、紙に合成樹脂を内部コーティングしたもの、或いは、ビニール等を素材として形成された気密性の可撓性筒状体２を備え、該筒状体２の両端部が夫々蓋体３，４で閉塞されると共に、内部が区画体５で区画されて２つの収納室６，７が形成され、該収納室６，７内に所定量の空気等の気体８，９と共に調味料等の物品１０，１１が収納されるように構成されている。尚、前記筒状体２は前述したように紙に合成樹脂を内部コーティングしたもの、或いは、ビニール等を素材として形成されるが、これに限定されるものではなく、気密性の可撓性筒状体であれば、他の素材を用いることも可能である。
【００３２】
そして、前記蓋体３，４は前記筒状体２及び区画体５に比較して破断容易に形成され、前記収納室６，７が所定の外圧を受けた時、該蓋体３，４が破断するように構成されている。
【００３３】
即ち、該蓋体３，４は前記収納室６，７が所定の外圧を受けた時、該蓋体３，４自体が破断するように形成されても良く、又、該蓋体３，４の一部に脆弱な部分を設けても良く、或いは、該蓋体３，４と前記筒状体２との固着面近傍に脆弱な部分を形成して、該脆弱な部分が破断することにより蓋体３，４と該筒状体２とが一部切り離される構成であっても良い。
【００３４】
そして、２つの収納室６，７内に収納される物品１０，１１は、互いに異なる物品を収納する。例えば、一方の物品１０はコーヒー用の砂糖を収納し、他方の物品１１は粉ミルクを収納する。
【００３５】
又、前記物品１０，１１は、液体、又は、固体のいずれかであっても良い。例えば、物品１０は液体のミルクとし、他方の物品１１は固体である砂糖とすることができるが、これに限定されるものではなく、例えば、液体として、ソース、醤油、ドレッシング等でも良く、固体として食塩、一味、山椒等であっても良く、種々の物品が考えられる。  
更に、前記物品１０，１１は粉状体、粒状体、又は、流動体のいずれかであっても良い。例えば、物品１０は粒状体の食塩、物品１１は流動体であるマヨネーズとすることができるが、これに限定されるものではなく、例えば、粉状体として、薬品等、粒状体として、前述した砂糖、食塩、一味、山椒等、流動体として、ジャム、洋からし等であっても良く、種々の物品が考えられる。
【００３６】
更に又、前記物品１０，１１は、食品、調味料、嗜好品、薬品、又は、化粧品であっても良い。
前述したように前記物品１０，１１は互いに異なる２種類の物品を選択することができ、その組み合わせは使用目的に応じて任意に選択することが可能である。尚、前記物品１０，１１は同じ物品であっても良い。
【００３７】
又、前記気体８，９は通常空気が用いられるが、食品の酸化を防止するために窒素ガス等を用いることも可能である。そして、該気体８，９は前記物品１０，１１と共に前記収納室６，７内に収納された時、所定の気体溜まり１２，１３が形成される程度封入すると共に、後述するように例えば一方の蓋体４を上方にして前記筒状体２を起立させ、該円筒体２の該蓋体４下方近傍に前記気体９による気体溜まり１３を形成させた状態で、該気体溜まり１３上部を外方から押圧した時に、該蓋体４を破断させ、且つ、その時、収納室７内の物品１１が該筒状体２の端部から飛散或いは漏出しない程度封入されている。又、前記気体８も同様に封入されている。
【００３８】
而して、例えば、前記物品収納体１に収納された物品１０を取り出す時は、図３（ａ）に示す如く、該物品収納体１の一方の蓋体４が上方になるように該物品収納体１を起立させて、該物品収納体１の筒状体２の該蓋体４下方近傍に気体溜まり１３を形成させ、該気体溜まり１３上部位置を該筒状体２外方から指１４，１５等で押圧すると、該気体溜まり１３の気体圧の増加により、同図（ｂ）に示す如く、該蓋体４が破断し、該収納室７を開放して物品を排出可能にする。この時、指１４，１５は前記気体溜まり１３の上部位置を押圧するので、前記物品１１に該蓋体４方向への力を加えることがなく、該物品１１の飛散及び漏出を招くことがない。
【００３９】
そして、該蓋体４が下方になるように前記物品収納体１を倒伏或いは倒立させれば、前記収納室７内の物品１１は下方に排出される。尚、該蓋体４を下方にする前に、前記筒状体２上端部と共に該蓋体４部分を切断すれば、該物品１１の排出は迅速且つ円滑に行われる。
【００４０】
又、前記物品収納体１に収納された他の物品１０を取り出す時も前記物品１１を取り出す時と同様に行えば良い。
斯くして、前記物品収納体１は前記蓋体３，４が前記筒状体２及び区画体５に比較して破断容易に形成されているので、指１４，１５で押圧することにより、該蓋体３，４を容易に破断することができると共に、指１４，１５は前記気体溜まり１２，１３の上部位置を押圧することにより、前記物品１０，１１に該蓋体３，４方向への力を加えることがなく、該物品１０，１１の飛散及び漏出を招くことがないため、手等を汚すこともない。
【００４１】
又、前記物品収納体１は２つの収納室６，７が形成されているので、２種類の物品１０，１１を一体に収納することができて収納状態をコンパクトにすることができると共に、美観も向上させることができ、且つ、使用上の煩雑さを解消することができる。
【００４２】
更に、該物品収納体１を弁当等に用いる場合に於いて、該物品収納体１は２種類の物品を収納するため所定量の大きさになり、弁当内に入れなくても紛失の虞がなく、従って、該物品収納体１を食品の上に直接載置する必要がないため、該物品収納体１を食品で汚す虞もない。
【００４３】
図４は他の物品収納体１６を示し、該物品収納体１６は前記物品収納体（図２に於いて１）の蓋体３，４の内方に該蓋体３，４と所定間隔離間して仕切り体１７，１８を設けたものであり、該蓋体３，４と仕切り体１７，１８間に気体室１９，２０が夫々形成され、且つ、該仕切り体１７，１８間が区画体５で区画されて２つの収納室２１，２２が形成され、該収納室２１，２２内に所定量の気体２３，２４と共に物品２５，２６が収納されるように構成されている。
【００４４】
そして、前記仕切り体１７，１８は前記筒状体２及び区画体５に比較して破断容易に形成されると共に、前記蓋体３，４は仕切り体１７，１８に比較して破断容易に形成され、前記収納室２１，２２が所定の外圧を受けた時、該蓋体３，４が最初に破断し、次に仕切り体１７，１８が破断するように構成されている。
【００４５】
前記気体２３，２４は前記気体（図２に於いて８，９）と同様のものであっても良く、異なるものであっても良い。又、前記物品２５，２６も前記物品（図２に於いて１０，１１）と同様のものであっても良く、異なるものであっても良い。
そして、該気体２３，２４は前記物品２５，２６と共に前記収納室２１，２２に収納された時、所定の気体溜まり２７，２８が形成される程度封入される。
【００４６】
而して、例えば、前記物品収納体１６に収納された物品２５を取り出す時は、図５（ａ）に示す如く、該物品収納体１６の一方の蓋体３が上方になるように該物品収納体１６を起立させて、該物品収納体１６の筒状体２の前記仕切り体１７下方近傍に気体溜まり２７を形成させ、該気体溜まり２７の上部位置を前記筒状体２の外方から指１４，１５等で押圧すると、該気体溜まり２７の気体圧増加によって該仕切り体１７が変形し、これによって前記気体室１９内の気体圧が増加して前記蓋体３が破断し、更に、前記気体溜まり２７の上部位置を外方から指１４，１５等で押圧すると、同図（ｂ）に示す如く、前記仕切り体１７が破断し、該収納室２１内の物品２５が排出自在となる。尚、前記蓋体３は破断後も略同じ位置に残留する。
【００４７】
そして、該蓋体３が破断する時、該仕切り体１７は破断されていないため、前記物品２５は前記収納室２１内に留まり飛散、又は、漏出することはなく、該仕切り体１７が破断する時も、前記気体溜まり２７の上部位置を外方から押圧するため、該物品２５に該蓋体３方向への力を加えることがなく、該物品２５の飛散、又は、漏出は発生せず、例え、該物品２５の一部が飛散又は漏出しようとしても残留する前記蓋体３に阻止されて飛散又は漏出が防止される。
【００４８】
次に、該蓋体３が下方になるように前記物品収納体１６を倒伏或いは倒立させれば、前記収納室２１内の物品２５は下方に排出される。尚、該蓋体３を下方に移動する前に、前記筒状体２先端部と共に該蓋体３及び前記仕切り体１７部分を切断して取り除けば、該物品２５の排出は迅速且つ円滑に行われる。
【００４９】
又、前記物品収納体１６に収納された他の物品２６を取り出す時も前記物品２５を取り出す時と同様に行えば良い。
図６は更に他の物品収納体２９を示し、該物品収納体２９は前記物品収納体（図２に於いて１）にヘラ、ナイフ、フォーク等として用いられる長尺状の板状体３０を着脱自在に取り付けたものである。
【００５０】
即ち、同図（ａ）に示す如く、該板状体３０は該物品収納体２９の筒状体２の長手方向長さよりも短く、該筒状体２の幅よりも小さい幅に形成され、該板状体３０を該筒状体２の長手方向に沿って取り付けるべく、該筒状体２の長手方向に離間する所定部位に内方に向かって開放する２つの袋状体３１，３１が取り付けられる。該袋状体３１は同図（ｂ）に示す如く、該袋状体３１の外部が筒状体２に固着され、且つ、同図（ｃ）に示す如く、左右端部が筒状体２に固着されている。
【００５１】
図７は前記板状体３０を示し、該板状体３０は略長尺の板状に形成され、端部は面取りされ、同図（ｂ）に示す如く、断面矩形状に形成され、例えば、へら、攪拌棒等として用いられる。
【００５２】
そして、前記板状体３０を着脱する時は、前記板状体３０を変形させるか、前記筒状体２を変形させ、前記袋状体３１，３１の開放部位を介して該板状体３０の両端部を出し入れし、該板状体３０を着脱する。
【００５３】
図８は前記板状体（図７に於いて３０）に代えて用いられる他の板状体３２を示し、該板状体３２は略長尺の板状に形成され、一端部は面取りされ、他端部はフォーク形状に形成されてフォークとして用いられ、該板状体３２のＤ−Ｄ線断面は、同図（ｂ）に示す如く、ナイフ形状に形成されてナイフとして用いられるものである。尚、該板状体３２のＥ−Ｅ線断面は同図（ｃ）に示す如く、略矩形状に形成され、該板状体３２をナイフとして用いる時の把持部となる。
【００５４】
前記板状体３０，３２を図６に示す前記物品収納体２９の如く取り付けると、該物品収納体２９内に収納される物品１０，１１と共に、必要とするものを一体にコンパクトに纏めて提供できるため、利便性が格段に向上する。
【図面の簡単な説明】
【００５５】
【図１】本発明の一実施の形態を示し、物品収納体の斜視図。
【図２】（ａ）本発明の一実施の形態を示し、物品収納体の正面縦断面図。（ｂ）図２（ａ）に示す物品収納体に物品を収納した状態を示す正面縦断面図。
【図３】（ａ）〜（ｂ）図１に示す物品収納体の使用方法説明図。
【図４】（ａ）他の実施の形態を示し、物品収納体の正面縦断面図。（ｂ）図４（ａ）に示す物品収納体に物品を収納した状態を示す正面縦断面図。
【図５】（ａ）〜（ｂ）図４に示す物品収納体の使用方法説明図。
【図６】（ａ）更に他の実施の形態を示し、物品収納体の斜視図。（ｂ）図６（ａ）のＡ−Ａ線一部縦断面図。（ｃ）図６（ｂ）のＢ−Ｂ線縦断面図。
【図７】（ａ）図６（ａ）に示す板状体の平面図。（ｂ）図７（ａ）のＣ−Ｃ線縦断面図。
【図８】（ａ）他の板状体の平面図。（ｂ）図８（ａ）のＤ−Ｄ線縦断面図。（ｃ）図８（ａ）のＥ−Ｅ線縦断面図。
【符号の説明】
【００５６】
１， １６，２９    物品収納体
２    筒状体
３，４   蓋体
５    区画体
６，７，２１，２２    収納室
８，９，２３，２４    気体
１０，１１，２５，２６    物品
１２，１３，２７，２８    気体溜まり
１７，１８    仕切り体
１９，２０    気体室
３０，３２    板状体  
３１    袋状体
【要約】
【課題】  ２種類の物品を収納することができると共に、その使用が簡便で、手を汚すことなく、物品を取り出すことができるようにした物品収納体を得る。
【解決手段】  気密性の可撓性筒状体２の両端部が夫々蓋体３，４で閉塞されると共に、内部が区画体５で区画されて２つの収納室６，７が形成され、該収納室６，７内に所定量の気体８，９と共に物品１０，１１が収納されるように構成された物品収納体１であって、前記蓋体３，４は前記筒状体２及び区画体５に比較して破断容易に形成され、一方の蓋体４が上方になるように該物品収納体１を起立させて該蓋体４下方近傍に気体溜まり１３を形成させた状態で、該気体溜まり１３の上部が所定の外圧を受けた時、気体溜まり１３の気体圧増加によって該蓋体４が破断すると共に、破断時に前記物品１１の飛散及び漏出が抑制されるように構成されている物品収納体を提供する。
【選択図】  図２
【図１】
0003667329.tif 000002
【図２】
0003667329.tif 000003
【図３】
0003667329.tif 000004
【図４】
0003667329.tif 000005
【図５】
0003667329.tif 000006
【図６】
0003667329.tif 000007
【図７】
0003667329.tif 000008
【図８】
0003667329.tif 000009